(57)【要約】【課題】  遊技具の種類を変えて設置する場合に対応することができ、さらに、遊技具の種類を変えたときの貸出機の設置をスムーズに行う。また、組立および搬送の効率化を図る。【解決手段】  遊技具の支持構造用柱１（１’）は、遊技具の左右に配置され、遊技具の載置台６０を架設して用いられる支持構造用柱１（１’）であって、長手方向における一端側と他端側に、載置台６０を取り付ける取付機構を有して、遊技具を第１，第２の高さに設置するために設けた第１，第２の支持部１０，２０と、第１，第２の支持部１０，２０の間に、貸出機を設置するために設けた側面開口凹部３２と、を備え、遊技具に対応して第１の支持部１０あるいは第２の支持部２０のいずれか一方が、設置面へ向けて設置される。【選択図】      図１
2005034432.tif 000002
【特許請求の範囲】
【請求項１】
遊技具の左右に配置され、前記遊技具を載置するための載置台を架設して用いられるとともに、貸出機を支持する遊技具の支持構造用柱であって、
長手方向における一端側に、前記載置台が取り付けられる取付機構を有して、前記遊技具を第１の高さに設置するために設けた第１支持部と、
長手方向における他端側に、前記載置台が取り付けられる取付機構を有して、前記遊技具を前記第１の高さよりも低い第２の高さに設置するために設けた第２支持部と、
前記第１支持部と前記第２支持部との間に、前記遊技具に隣接して前記貸出機を設置するために前記支持構造用柱の一側面が開口されることにより形成された側面開口凹部と、を備え、
前記遊技具に対応して前記第１支持部あるいは前記第２支持部のいずれか一方が、設置面へ向けて設置されることを特徴とする遊技具の支持構造用柱。
【請求項２】
前記第１支持部および前記第２支持部のうち少なくとも一方は、前記側面開口凹部から所定間隔をあけた位置に、正面から背面に向けて貫通する貫通穴を有することを特徴とする請求項１に記載の遊技具の支持構造用柱。
【請求項３】
前記取付機構は、前記載置台の位置を前記長手方向に沿って位置調整する位置調整手段を備えていることを特徴とする請求項１または請求項２に記載の遊技具の支持構造用柱。
【請求項４】
背中合わせに設置される遊技具の左右にそれぞれ配置され、前記遊技具を載置するための載置台を架設して用いられるとともに、貸出機を支持する支持構造用柱ユニットであって、
前記背中合わせに設置される両遊技具の一側方に配置されるそれぞれの支持構造用柱と、
この支持構造用柱を連結する連結部材とを備えたことを特徴とする支持構造用柱ユニット。
【請求項５】
前記支持構造用柱は、長手方向における一端側に、前記載置台が取り付けられる取付機構を有して、前記遊技具を第１の高さに設置するために設けた第１支持部と、
長手方向における他端側に、前記載置台が取り付けられる取付機構を有して、前記遊技具を前記第１の高さよりも低い第２の高さに設置するために設けた第２支持部と、
前記第１支持部と前記第２支持部との間に、前記遊技具に隣接して貸出機を設置するために設けた側面開口凹部と、を備え、
前記遊技具に対応して前記第１支持部あるいは前記第２支持部のいずれか一方が、設置面へ向けて設置されることを特徴とする請求項４に記載の支持構造用柱ユニット。
【発明の詳細な説明】
【技術分野】
【０００１】
本発明は、パチンコ台やパチスロ台、あるいはテレビゲーム機などの遊技具を支持する遊技具の支持構造用柱および支持構造用柱ユニットに係り、特に、遊技具の種類を変えて設置する場合に対応することのできる遊技具の支持構造用柱および支持構造用柱ユニットに関するものである。
【背景技術】
【０００２】
従来、パチンコ台やパチスロ台などの遊技具を支持するための支持構造用柱として、様々なものが提案されている。図１１は、その一例を示すものであり、この支持構造用柱（以下、「柱」と称す）８０は、図示しない遊技具としてのパチンコ台やパチスロ台を支持するために、遊技具の四隅に立設させたものである。
【０００３】
４本の柱８０は、左右方向に隣り合う柱８０同士の柱面の位置が同一となるように配置されており、各柱８０は、その下部に形成された幅広の第１支持部８１と、上部に形成された幅広の第２支持部８２と、これら両支持部８１，８２の間に形成された中間柱８３とを有している。両支持部８１，８２は、いずれも平断面コ字形に形成されている。
【０００４】
左右の第１支持部８１，８１・８１，８１間には、わたし木８４，８４が架設されており、また、前後の第１支持部８１，８１・８１，８１間には、計４本のわたし木８５が架設されている。また、左右の第２支持部８２，８２・８２，８２間には、上部枠８６，８６が架設されており、また、前後の第２支持部８２，８２・８２，８２間には、４本のわたし木８７が架設されている。
さらに、前後左右の第１支持部８１には、図示しない遊技具を載置するための載置枠８８が取り付けられている。載置枠８８は、その４本の脚部８８ａ（２本のみ図示）が各第１支持部８１の内側面８１ａに設けられたボルト孔８１ｂにボルト８８ｂをそれぞれ螺合させることにより固定されるようになっている。このボルト孔８１ｂは、第１支持部８１の内側面８１ａに高さ方向に所定の間隔を隔てて複数設けられている。したがって、載置枠８８は、ボルト８１ｂの固定位置を変えることによって高さを変えて取り付けられるようになっている。
【０００５】
中間柱８３は、第１支持部８１および第２支持部８２に比べて細く形成されており、この細くなったことにより形成される凹部８９に貸出機Ｅ（図中二点鎖線で表示）が配置されるようになっている。なお、貸出機Ｅは、取付部材９０を介してこの凹部８９に取り付けられる。
【０００６】
このような柱８０を用いた支持構造によれば、パチンコ台やパチスロ台を載置枠８８に載置して４本の柱８０の各中間柱８３で囲まれる空間に介在させた状態で設置することができる。そして、各第１支持部８１の内側面８１ａに対する載置枠８８の各脚部８８ａの固定位置を変更することにより、載置枠８８の取り付け高さを変えることができ、遊技具の種類に合わせた取り付けを実現することができる。通常、パチンコ台やパチスロ台は、貸出機Ｅを介在させて連続して並設されるようになっており、左右の遊技具の間に配置される柱８０，８０がそれぞれの遊技具を共有して支持することとなる。
また、載置枠８８には、遊技具の種類を変えてパチンコ台とパチスロ台とを背中合わせにして設置することも可能である。
【特許文献１】特開２００１−７９２５２号公報（段落００１８〜００２５、図１）
【発明の開示】
【発明が解決しようとする課題】
【０００７】
ところで、遊技店では、売上げや集客を増やすための方策として、遊技具の種類を人気のある他の種類に変えて設置することがしばしば行われている。その場合、前記従来の柱８０を用いた支持構造では、載置枠８８の高さを変えることにより、例えば、遊技具の種類をパチンコ台からパチスロ台へ変えることが可能であるという利点を有していたが、他方で次のような改良点が存在した。
【０００８】
すなわち、遊技具の種類を変えて設置する場合、遊技具に隣接して設けられる貸出機も遊技具の種類に合わせて交換する必要があるが、貸出機は、頻繁に新しいものに機種変更する性質のものではなく、遊技具の種類を変えても、遊技店が所有しているものを利用している。しかしながら、例えば、遊技具の種類をパチンコ台からパチスロ台に変えようとする場合、パチンコ台用の貸出機を取り外してパチスロ台用の貸出機（コイン用）を設置しようとすると、貸出機の種類によっては、柱８０の凹部８９の開口方向（図１１の従来の柱８０を用いた支持構造では、図中Ｘ方向から目視したときに凹部８９が中間柱８３の右側に開口している。）が逆向きとなるほうが取り付けに際して都合の良いものがあり、そのようなパチスロ用の貸出機では、柱８０に取り付けることが困難であった。
【０００９】
さらに、設置しようとする貸出機の種類によっては、柱８０の凹部８９内に全体を収納し、柱８０の第２支持部８２にかかる位置に、貸出機の紙幣挿入部が配置され、その紙幣挿入部の後方に紙幣搬送路等が配置されるものがある。このような貸出機に対応するためには、第２支持部８２の貸出機の干渉する部分を切り欠くなどの加工を施さなければならず、現場での対応が煩雑であった。特に、遊技店の狭い設置スペースでは、極めて作業性が悪く、非常に手間がかかっていた。
【００１０】
また、柱８０の傾きは、遊技具の傾きに直接的に影響するものであるので、柱８０の設置に関しては、熟練者の設置技術が必要になる。加えて、遊技店の狭い設置スペースでは、前記のように設置にかかる作業性が悪いという状況が存在している。そこで、柱８０やわたし木８４，８５，８７等を、工場等において予め組み立てておいてから現地に搬入して設置するようにすることが作業効率を上げるための手段として行われている。この場合、前記従来の柱８０を用いた支持構造では、部品点数が多いため、簡単な設置を実現するためには、図１１に示したような、４本の柱８０で構成されたものをひとつのユニットとした状態にして、工場等で組み立てておく必要性がある。
しかしながら、従来の支持構造では、このようなユニットを工場等で組み立ててから遊技店に搬送しようとすると、ユニットの形状が直方体形状であるため、この状態では、搬送スペースを多く必要としてしまい、搬送効率が悪くなっていた。
そこで、搬送作業および組立作業の効率化を同時に図ることのできる支持構造用柱ユニットが望まれていた。
【００１１】
そこで、本発明では、前記した問題を解決し、遊技具の種類を変えて設置する場合に対応することができるとともに、遊技具の種類を変えたときの貸出機の設置をスムーズに行うことができる遊技具の支持構造用柱を提供することを目的とする。
また、前記したその他の問題を解決し、組立および搬送の効率化を図ることができる支持構造用柱ユニットを提供することを目的とする。
【課題を解決するための手段】
【００１２】
前記課題を解決するために請求項１に記載の遊技具の支持構造用柱は、遊技具の左右に配置され、前記遊技具を載置するための載置台を架設して用いられるとともに、貸出機を支持する遊技具の支持構造用柱であって、長手方向における一端側に、前記載置台が取り付けられる取付機構を有して、前記遊技具を第１の高さに設置するために設けた第１支持部と、長手方向における他端側に、前記載置台が取り付けられる取付機構を有して、前記遊技具を前記第１の高さよりも低い第２の高さに設置するために設けた第２支持部と、前記第１支持部と前記第２支持部との間に、前記遊技具に隣接して前記貸出機を設置するために前記支持構造用柱の一側面が開口されることにより形成された側面開口凹部と、を備え、前記遊技具に対応して前記第１支持部あるいは前記第２支持部のいずれか一方が、設置面へ向けて設置されることを特徴とする。
【００１３】
請求項１に記載の遊技具の支持構造用柱によれば、支持構造用柱を設置する際には、支持構造用柱の長手方向における一端側に設けた第１支持部あるいは他端側に設けた第２支持部のいずれか一方を、設置面へ向けて設置することができる。
第１支持部を設置面へ向けて設置した場合、遊技具は、第１の高さに設置されることとなり、また、第２支持部を設置面へ向けて設置した場合、遊技具は、第１の高さよりも低い第２の高さに設置されるようになる。
【００１４】
例えば、第１支持部を設置面へ向けて設置した場合には、パチンコ台を設置するのに好適な高さとすることができ、また、第２支持部を設置面へ向けて設置した場合には、パチンコ台よりも低い位置に設置されるパチスロ台を設置するのに好適な高さとすることができる。
しかも、第１支持部は、支持構造用柱の一端側に設けられ、第２支持部は、支持構造用柱の他端側に設けられているので、第１支持部と第２支持部との選択に際しては、支持構造用柱の天地を逆転させるという操作により行うことができる。
【００１５】
また、支持構造用柱を設置した後において、遊技具の種類を変えて設置しようとするときには、支持構造用柱の天地を逆転させて設置し直すことにより、遊技具に合った設置高さとすることができる。
【００１６】
さらに、第１支持部と第２支持部との間には、遊技具に隣接して貸出機を設置するための側面開口凹部が設けられているので、この側面開口凹部を利用することにより遊技具に隣接して貸出機を設けることができる。側面開口凹部は、支持構造用柱の一側部が開口されることにより形成されているので、第１支持部を設置面へ向けて設置したときと、第２支持部を設置面へ向けて設置したときとでは、開口を逆向きにすることができ、これによって、貸出機の納まり方を変えることができる。
例えば、第１支持部を設置面へ設置した状態で、側面開口凹部が支持構造用柱の右側に位置する（支持構造用柱の右側が開口されている）場合に、支持構造用柱の天地を逆にして第２支持部を設置面へ設置すると、側面開口凹部は、支持構造用柱の天地を逆にする前と反対の向きとなり、支持構造用柱の左側に位置する（支持構造用柱の左側が開口されている）ようになる。したがって、設置面へ向けて設置される側により、貸出機の納まり方を変えることができる。
【００１７】
請求項２に記載の遊技具の支持構造用柱は、請求項１に記載の遊技具の支持構造用柱において、前記第１支持部および前記第２支持部のうち少なくとも一方は、前記側面開口凹部から所定間隔をあけた位置に、正面から背面に向けて貫通する貫通穴を有することを特徴とする。
【００１８】
請求項２に記載の遊技具の支持構造用柱によれば、第１支持部および第２支持部のうち少なくとも一方は、側面開口凹部から所定間隔をあけた位置に、正面から背面に向けて貫通する貫通穴を有しているので、この貫通穴を、遊技具や貸出機に付随する設備機器の設置スペースとして利用することができる。
【００１９】
しかも、貫通穴は、正面から背面に向けて貫通するようになっているので、例えば、貸出機に付随した設備として設けられる紙幣搬送装置の紙幣挿入口として利用したり、また、パチンコ玉やパチスロ用のコイン等の遊技媒体を通すためのスペースやハーネス等を挿通するためのスペースとしても利用することができる。
【００２０】
請求項３に記載の遊技具の支持構造用柱は、請求項１または請求項２に記載の遊技具の支持構造用柱において、前記取付機構は、前記載置台の位置を前記長手方向に沿って位置調整する位置調整手段を備えていることを特徴とする。
【００２１】
このように構成されているので、載置台は、支持構造用柱の取付機構により位置調整手段を介して、支持構造用柱の長手方向に沿って位置調整可能に取り付けられることとなる。これにより、載置台に載置される遊技具の設置高さが調整されるようになり、例えば、遊技店に設置されている椅子の高さに合わせて、遊技具が遊技しやすい高さとなるように設置することも可能となる。
【００２２】
請求項４に記載の支持構造用柱ユニットは、背中合わせに設置される遊技具の左右にそれぞれ配置され、前記遊技具を載置するための載置台を架設して用いられるとともに、貸出機を支持する支持構造用柱ユニットであって、前記背中合わせに設置される両遊技具の一側方に配置されるそれぞれの支持構造用柱と、この支持構造用柱を連結する連結部材とを備えたことを特徴とする。
【００２３】
請求項４に記載の支持構造用柱ユニットによれば、背中合わせに設置される遊技具の左右にそれぞれ配置されるように、例えば、遊技店の設置フロアに所定の間隔をあけて複数個並べられて設けられる。そして、各支持構造用柱ユニット間に載置台が架設され、各支持構造用柱ユニット間に遊技具が支持可能となる。
【００２４】
また、このような支持構造用柱ユニットは、工場等で予め組み立てておいてから、遊技具の設置先となる遊技店などに搬送して設置することもできる。この場合、支持構造用柱ユニットは、前後位置となる支持構造用柱を連結部材で連結するという平面的な構造となっているので、工場等から設置先となる遊技店への搬送時に嵩張ることはない。
【００２５】
請求項５に記載の支持構造用柱ユニットは、請求項４に記載の支持構造用柱ユニットにおいて、前記支持構造用柱は、長手方向における一端側に、前記載置台が取り付けられる取付機構を有して、前記遊技具を第１の高さに設置するために設けた第１支持部と、長手方向における他端側に、前記載置台が取り付けられる取付機構を有して、前記遊技具を前記第１の高さよりも低い第２の高さに設置するために設けた第２支持部と、前記第１支持部と前記第２支持部との間に、前記遊技具に隣接して貸出機を設置するために設けた側面開口凹部と、を備え、前記遊技具に対応して前記第１支持部あるいは前記第２支持部のいずれか一方が、設置面へ向けて設置されることを特徴とする。
【００２６】
請求項５に記載の支持構造用柱ユニットによれば、ユニットを組み立てる際に、支持構造用柱の長手方向における一端側に設けた第１支持部あるいは支持構造用柱の他端側に設けた第２支持部のいずれか一方を、設置面へ向けて設置される側にすることができる。
この場合、第１支持部を設置面側とした支持構造用柱に設置される遊技具は、第１の高さに設置されることとなり、また、第２支持部を設置面側とした支持構造用柱に設置される遊技具は、第１の高さよりも低い第２の高さに設置されるようになる。
【００２７】
また、支持構造用柱ユニットは、両支持構造用柱が、第１支持部を設置面側とする場合と、第２支持部を設置面側とする場合と、あるいは、一方の支持構造用柱が、第１支持部を設置面側とし、他方の支持構造用柱が、第２支持部を設置面側とするようにすることもできる。
【発明の効果】
【００２８】
請求項１に記載の遊技具の支持構造用柱によれば、第１支持部，第２支持部のいずれかを選択して設置面に設置することにより、遊技具を２通りの高さに設置する基本構成を提供することができる。
また、支持構造用柱を設置した後において、遊技具の種類を変えて設置しようとするときには、支持構造用柱の天地を逆転させて設置し直すという簡単な設置操作を行うことにより、遊技具に合った設置高さを迅速かつ自動的に得ることができる。
側面開口凹部は、第１支持部を設置面へ向けて設置したときと、第２支持部を設置面へ向けて設置したときとでは、支持構造用柱の天地を変えることで、開口が自動的に逆向きとなるので、従来、向きが合わないなどの理由で納まりにくかった貸出機も、設置することができるようになる。したがって、施工性を高めることができる。
【００２９】
請求項２に記載の遊技具の支持構造用柱によれば、貫通穴を利用して、遊技具や貸出機に付随する設備機器を配置することができる。これにより、従来、種類によっては取り付けることのできなかった貸出機の設置可能性を高めることができるようになる。
【００３０】
請求項３に記載の遊技具の支持構造用柱によれば、取付機構は、載置台を支持構造用柱の長手方向に位置調整する位置調整手段を備えているので、載置台を取り付ける際に位置調整手段により、載置台の取り付け高さを調整することができる。これにより、遊技具の設置高さを遊技店のニーズ等に合わせて調節することができる。
【００３１】
請求項４に記載の支持構造用柱ユニットによれば、予め工場等で組み立てておくことができるので、設置作業時の工数を低減させることができ、設置作業の効率化を図ることができる。しかも、支持構造用柱ユニットは、前後位置となる支持構造用柱を連結部材で連結した平面的な構造となっているので、組み立てが行い易いとともに、工場等から設置先となる遊技店への搬送時に嵩張らなくなり、搬送の省スペース化を図ることができる。さらに、設置に際しては、支持ユニットを複数並設してこれらに載置台を支持することにより作業を機械的に行えるので、熟練した技術をあまり必要とせずに設置作業を行なうことができ、作業性に優れているという利点が得られる。
【００３２】
請求項５に記載の支持構造用柱ユニットによれば、支持構造用柱の第１支持部，第２支持部のいずれかを選択して設置面に設置されるようにすることができ、背中合わせに配置される遊技具をそれぞれ２通りの高さに設置する構成を提供することができる。また、支持構造用柱ユニットを設置した後においても、支持構造用柱の天地を逆転させて設置し直すという簡単な設置操作を行うことにより、遊技具に合った設置高さを迅速かつ自動的に得ることができる。
【発明を実施するための最良の形態】
【００３３】
以下、添付図面を参照して、本発明の実施の形態を詳細に説明する。なお、説明において、同一要素には同一の符号を用い、重複する説明は省略する。また、以下の説明においては、遊技具としてのパチンコ台とパチスロ台とが背中合わせに配置される場合を想定して説明する。さらに、以下の説明において、「前後」「左右」「上下」は、パチンコ台が設置された側を基準とする。
図１は、本発明にかかる遊技具の支持構造用柱を用いた支持枠の斜視図、図２は、同じく図１に示した支持枠を説明するための分解斜視図、図３は、同じく支持枠の縦断面図、図４は、柱を背面の斜め上方から見た斜視図、図５は、連結アームを分解した状態を示し、（ａ）は、連結アームの側面図、（ｂ）は、連結アームの平面図、図６は、連結バーを分解した状態を示し、（ａ）は、連結バーの側面図、（ｂ）は、連結バーの平面図である。また、図７は、載置台を示す図で、（ａ）は、正面図、（ｂ）は、平面図、図８は、上部板を示す正面図である。
【００３４】
図１に示すように、本実施の形態の遊技具の支持構造用柱を用いた遊技具の支持枠Ｆは、背中合わせに設置される図示しない１組の遊技具を、その四隅に１本ずつ配置された支持構造用柱としての柱１（１’）により支持する構成としてある。柱１（１’）は、４本とも同一のものが用いられており、前面側に配置されるものを符号１を付して示すとともに、背面側に配置されるものを符号１’を付して示した。この背面側に配置される柱１’は、前面側に配置される柱１を天地逆の向きにしたものである。そして、前後の柱１，１’・１，１’間では、連結部材としての、連結アーム４０および連結バー５０を介して連結されるようになっており、また、左右の柱１，１・１’，１’間は、載置台６０および上部板７０が架設されるようになっている。本実施の形態では、図示しない遊技具の一側方に配置される柱１，１’と、これらの柱１，１’を連結している連結アーム４０および連結バー５０とで、ひとつの支持構造用柱ユニット（以下、「支持ユニット」と称す。）２を構成している。
【００３５】
以下、各部について詳細に説明する。
図１，図２，図３に示すように、柱１（１’）は、金属製であり、幅広に形成された第１支持部１０と、同じく幅広に形成された第２支持部２０と、これら第１支持部１０と第２支持部２０とを連結する幅狭に形成された中間柱３０とを有している。ここで、第１支持部１０は、図示しない遊技具を第１の高さに設置するために設けられたものであり、また、第２支持部２０は、図示しない遊技具を第１の高さよりも低い第２の高さに支持するために設けられたものである。
具体的には、柱１，１’の第１支持部１０に、遊技具としてパチンコ台が設置され、また、柱１，１’の第２支持部２０に、パチンコ台よりも低く設置されることが好ましいパチスロ台が設置される。
【００３６】
図４に示すように、第１支持部１０は、前部１１と、底部１２と、側部１３，１３とを備えており、平断面略コ字形に形成されている。
前部１１には、その上部１１ｂに、長四角形状に開口された貫通穴としての第１貫通穴１１ａが形成されている。この第１貫通穴１１ａは、第１支持部１０の正面から背面に向けて貫通しており、後記する中間柱３０の側方の側面開口凹部３２から所定間隔をあけた位置に設けられている。ここで、所定間隔とは、側面開口凹部３２に設置される貸出機Ｅ，Ｅ１（図９（ａ）（ｃ）参照）の上方に間隔を隔てて設置される設備機器Ｅ１ａ（例えば、紙幣挿入機）が第１貫通穴１１ａに対して設置可能な間隔であり、具体的には、３ｃｍ、好ましくは、１〜１０ｃｍ、２〜８ｃｍ、３〜５ｃｍの範囲を言う。
【００３７】
底部１２には、ボルト孔１２ａ，１２ａと、引掛け溝１２ｂ，１２ｂとが設けられている。ボルト孔１２ａ，１２ａには、設置固定用のボルト５（図２参照）が挿通されるようになっている。ここで、ボルト５は、図２に示すように、支持枠Ｆの設置スペースに設備された取付プレート３の取付板４に立設されている。
引掛け溝１２ｂ，１２ｂは、第１支持部１０が柱１の頂部側となる状態、すなわち、図１，図２において示した柱１’のように、天地が逆にされた状態のときに、上部板７０を引っ掛けるための溝として使用されるようになっている。また、底部１２には、折り返し片１２ｃが設けられている。
【００３８】
図４に示すように、側部１３，１３には、載置台６０を取り付けるための位置調整手段を備えた取付機構Ｔ１が設けられている。この取付機構Ｔ１は、柱１（１’）の長手方向に所定の間隔を置いて設けられた位置調整手段としての切欠き溝１４，１５と、ボルト固定孔１４ａ，１５ａ，１５ｂとで構成されている。切欠き溝１４，１５には、後記する載置台６０の脚部６２の係合突片６４が係合可能となっている。ボルト固定孔１４ａ，１５ａ，１５ｂには、後記する載置台６０の脚部６２に挿通された図示しないボルトが螺合されるようになっている。また、側部１３，１３間には、補強部材１６がビス止め等により架設されている。
【００３９】
第２支持部２０は、基本的に、第１支持部１０と同様の構成となっており、第１支持部１０と大きく異なるところは、長手方向の寸法が短く形成されている点である。
第２支持部２０は、前部２１と、天部２２と、側部２３，２３とを備えており、平断面略コ字形に形成されている。前部２１には、その下部２１ｂに、長四角形状に開口された貫通穴としての第２貫通穴２１ａが形成されている。この第２貫通穴２１ａは、第２支持部２０の正面から背面に向けて貫通しており、後記する中間柱３０の側方の側面開口凹部３２から所定間隔（具体的には、３ｃｍ、好ましくは、１〜１０ｃｍ、２〜８ｃｍ、３〜５ｃｍの範囲）をあけた位置に設けられている。天部２２には、第２支持部２０が設置先となる遊技店等の設置面に対して設置されるとき（図１に示した柱１’の状態）に、設置固定用のボルト５（図２参照）を挿通するためのボルト孔２２ａ，２２ａと、上部板７０（図１参照）を架設するための引掛け溝２２ｂ，２２ｂが設けられている。また、天部２２には、折り返し片２２ｃが設けられている。
【００４０】
側部２３，２３には、載置台６０を取り付けるための位置調整手段を備えた取付機構Ｔ２が設けられている。この取付機構Ｔ２は、柱１（１’）の長手方向に所定の間隔を置いて設けられた位置調整手段としての切欠き溝２４，２５と、ボルト固定孔２４ａ，２５ａ，２５ｂとで構成されている。切欠き溝２４，２４には、後記する載置台６０の脚部６２の係合突片６４が係合可能となっている。ボルト固定孔２４ａ，２５ａ，２５ｂには、後記する載置台６０の脚部６２に挿通された図示しないボルトが螺合されるようになっている。また、側部２３，２３間には、補強部材２６がビス止め等により架設されている。
【００４１】
中間柱３０は、第１支持部１０および第２支持部２０よりも細く形成されており、折り返し部３１を有している。この折り返し部３１の側方は、広く開口されており、この開口によって、遊技具に隣接して設けられる貸出機Ｅ（図９（ａ）（ｃ）参照）を設置するための側面開口凹部３２が形成されている。
【００４２】
連結アーム４０は、図５（ａ）（ｂ），（図１，図２）に示すように、対称の形状に形成された一対のフレーム４１，４１と、これら一対のフレーム４１，４１を接続するジョイント部材４５とを備えている。
フレーム４１は、図５（ｂ）に示すように、平面視略四角形に形成された支持部４２と、立ち上がり部４３とを有している。支持部４２は、ジョイント部材４５をスライド可能に支持するようになっており、両端部分にジョイント部材４５を固定するためのねじ孔４４が設けられている。立ち上がり部４３は、前記柱１の中間部３０の内側面３１ａ（図４参照）に挿入可能な大きさに形成されており、この内側面３１ａに対して図示しないボルトにより固定されるようになっている。
【００４３】
図５（ａ）（ｂ）に示すように、ジョイント部材４５は、フレーム４１の支持部４２にスライド可能に支持されるようになっており、支持部４２のねじ孔４４に対峙する位置に、複数のねじ挿通孔４６が設けられている。これにより、任意のねじ挿通孔４６にねじを挿通して、これをフレーム４１の支持部４２のねじ孔４４に螺合することにより、フレーム４１，４１間にジョイント部材４５を固定することができ、その固定位置によって、連結アーム４０を所望の長さにすることができる。
【００４４】
連結バー５０は、図６（ａ）（ｂ），（図１，図２）に示すように、一対の連結部５１，５１と、これら一対の連結部５１，５１を接続する接続部材５５とを備えている。
連結部５１は、図６（ｂ）に示すように、平面視Ｌ字形状に形成されており、図６（ａ）に示すように、一端部５２ａに２つのねじ孔５３が設けられているとともに、他端部５２ｂに、前記柱１（１’）の補強部材１６または補強部材２６に固定するための折曲部５４が設けられている。この折曲部５４には、不図示のボルト挿入孔が設けられている。
【００４５】
接続部材５５は、連結部５１のねじ孔５３に対峙する位置に、接続部材５５の長手方向に亘って２段の連通孔５６，５６が形成されている。これにより、接続部材５５の連通孔５６の任意の位置に、ねじ５７，５７（図６（ｂ）参照）を挿通して、これを連結部５１の各ねじ孔５３に螺合することにより、一対の連結部５１，５１と接続部材５５とを固定することができ、そのときのねじ５７，５７の挿通位置によって、連結バー５０を所望の長さにすることができる。
【００４６】
本実施の形態では、前記したように前後の柱１，１’と、連結アーム４０と、連結バー５０とで、ひとつの支持ユニット２（図２参照）を構成しており、工場等において、前後の柱１，１’が連結アーム４０および連結バー５０で所望の間隔を隔てて連結された状態に組み立てられる。
【００４７】
載置台６０は、図７（ａ）（ｂ）に示すように、載置部６１と、２本の脚部６２，６２とを有している。載置部６１は、図７（ｂ）に示すように、平面視四角形状に形成されており、その端部６１ａの近傍には、長孔６１ｂが形成されている。この長孔６１ｂは、図３において二点鎖線で示すように、遊技具に敷かれて固定される敷台６５（機械台）を貫通した、遊技具固定用のくぎ６６等の逃げ穴として機能するようになっている。敷台６５には、下部に切欠き６５ａが設けられており、この切欠き６５ａは、載置部６１の端部６１ａに立設された係合片６７に係合するようになっている。これにより、遊技具としてのパチンコ台やパチスロ台の、ドアの開け閉めによる衝撃や振動などの影響による前後方向のずれが、防止されるようになっている。
脚部６２，６２は、載置部６１の端部６１ａ側の左右底面より垂下されて設けられており、その下端部６３，６３には、係合突片６４，６４が設けられている。この係合突片６４，６４は、前記取付機構Ｔ１，Ｔ２（図４参照）における第１支持部１０の切欠き溝１４，１５あるいは第２支持部２０の切欠き溝２４，２５に係合可能に設けられている。また、脚部６２，６２には、柱１（１’）の第１支持部１０のボルト孔１４ａ，１５ａ，１５ｂ、あるいは第２支持部２０のボルト孔２４ａ，２５ａ，２５ｂに螺合される固定用のボルトを挿通するための、図示しないボルト挿通孔が複数設けられている。
なお、載置部６１には、図７（ｂ）において一点鎖線で示すように、パチスロ台用のコイン回収穴６８を設けても良い。
【００４８】
上部板７０は、図１，図２に示すように、左右の柱１，１・１’，１’の上部に架設されるものであり、柱１（１’）の中間柱３０で囲まれる空間に介在されて設置される図示しない遊技具の、上方前面を塞ぐ役割をなす。このような上部板７０は、図８に示すように、開口部７１と、指掛け穴７２と、上部両端部７０ａ，７０ａに設けられたフック７３，７３とを有している。開口部７１は、上部板７０の中央部から上部にかけて大きく開口されており、図示しないランプ等の電装品が取り付けられる。フック７３，７３は、左右の柱１，１・１’，１’の引掛け溝１２ｂ，１２ｂあるいは引掛け溝２２ｂ，２２ｂに係合可能に設けられている。なお、上部板７０の左右下部には、柱１，１’に当接して上部板７０の前後方向の揺動を抑える突片７４，７４が設けられている。
【００４９】
次に、このような遊技具の支持構造用柱１（１’）を用いた支持枠Ｆを、遊技店としてのパチンコ店に設置する際の手順を説明する。
まず、遊技店の設置スペースに柱１（１’）等を設置するに先立って、工場等において前記支持ユニット２を組み立てる作業を行う。
【００５０】
はじめに、遊技具の配置を考慮して、柱１（１’）の天地を決定する。ここでは、遊技具としてのパチンコ台とパチスロ台とが背中合わせに設置される構成であるので、図１〜図３に示すように、前面側の柱１は、第１支持部１０が設置面に設置されるように配置するとともに、背面の柱１’は、天地を逆にして、第２支持部２０が設置面に設置されるように配置する。
【００５１】
次に、連結アーム４０と連結バー５０を柱１，１’に架設する。はじめに、連結アーム４０のフレーム４１，４１の立ち上がり部４３，４３を、柱１，１’の中間柱３０，３０の内側面３１ａに、図示しないボルトでそれぞれ固定する。その後、連結アーム４０のジョイント部材４５をフレーム４１，４１間に渡して配置し、柱１，１’の設置間隔を遊技店の設置スペースに適合させた上で、フレーム４１のねじ孔４４（図５（ｂ）参照）に対峙しているジョイント部材４５の挿通孔４６（図５（ｂ）参照）からねじを挿通して、フレーム４１のねじ孔４４に螺合する。これをもう一方のフレーム４１についても行う。これにより、連結アーム４０が柱１，１’に架設される（図２，図１参照）。
【００５２】
その後、図６（ｂ）に示すように、連結バー５０を組み付ける。このとき、ねじ５７，５７は、緩く止めておき、接続部材５５に対して連結部５１，５１が伸縮可能な状態にしておく。そして、図１に示すように、柱１，１’の補強部材２６，１６に折曲部５４，５４を図示しないボルトにより固定する。その後、各ねじ５７を増し締めして連結部５１，５１と接続部材５５とをスライド不能に固定する。これにより、連結バー５０が支持部１，１’間に架設され、支持ユニット２が完成される（図１，図２参照）。
【００５３】
その後、この完成された支持ユニット２を図示しないトラックなどの荷台に載せて搬送し、設置先としての遊技店に搬入する。搬送に際して、支持ユニット２は、平面的な構造となっているので、搬送スペースをあまり必要とせずに搬送することができる。
【００５４】
遊技店への搬入後、支持ユニット２を所定のフロア位置に設置する。図２に示すように、設置されるフロアには、予め設置位置を特定するための取付用プレート３を図示しないアンカー等により固定しておく。そして、取付用プレート３に所定の間隔で設けられた取付部４に対して、支持ユニット２の柱１（１’）をそれぞれ取り付ける。
取付用プレート３の取付部４には、柱１（１’）を固定するための固定用ボルト５が立設されているので、柱１（１’）の取り付けに際しては、各固定用ボルト５を第１支持部１０あるいは第２支持部２０のボルト孔１２ａ，２２ａにそれぞれ挿通させるようにする。そして、各固定用ボルト５に図示しないナットを螺合させて締め付けることにより、柱１（１’）は、所定のフロア位置に固定され、これにより、支持ユニット２がフロアに設置される。その後、他の取付部４に対して、支持ユニット２を同様にして設置する。
各支持ユニット２は、図２，図３に示すように、上部側が枠状の繋ぎ部材６で固定される。この繋ぎ部材６は、図３に示すように、各柱１，１’の各折り返し片２２ｃ，１２ｃに固定される。これにより、各支持ユニット２の柱１，１’の上端部は、設置されるフロアの長手方向（左右方向）において出っ張ることなく直線的に配置されることとなる。これにより、各支持ユニット２の柱１，１’の倒れ込みが防止されるようになり、各支持ユニット２の柱１，１’が垂直に立設されるようになる。
【００５５】
支持ユニット２の設置が終了したら、各支持ユニット２間に載置台６０と上部板７０とをそれぞれ架設する。
ここで、各支持ユニット２の柱１，１間（前面側）にパチンコ台用としての載置台６０を架設する場合について説明すると、図２，図３に示すように、載置台６０の各脚部６２の下端部６３に設けられた係合突片６４，６４を、柱１，１の切欠き溝１４あるいは切欠き溝１５のいずれかに係合させる。本実施の形態では、係合突片６４，６４を切欠き溝１５，１５に係合している。なお、遊技店の設置状況、例えば、椅子の高さやフロアの基礎等を考慮して、係合突片６４，６４を切欠き溝１４，１４に係合させることもできる。
【００５６】
これと同様にして、各支持ユニット２の柱１’，１’間（背面側）にパチスロ台用としての載置台６０を架設する。パチスロ台は、パチンコ台に比べて遊技者の遊技操作部材（スロットレバーや停止ボタン）が高い位置となるので、設置位置を低くするために、パチスロ用の載置台６０は、図３に示すように、２つある切欠き溝２４，２５のうち下側に位置する切欠き溝２４に、その係合突片６４，６４を係合させて、柱１’，１’間に架設される。
【００５７】
載置台６０を架設した後、各載置台６０にわたる長さを有する通し材７を、各載置台６０の載置部６１の端部６１ａ（図７（ｂ）参照）に固定する。これにより、各支持ユニット２（図３ではひとつのみ図示）の下部が載置台６０と通し材７とを介して連結されるようになり、各支持ユニット２の安定化が図られる。なお、通し材７は、図示しない部材を介して連結アーム４０にも固定される。また、パチンコ台側の載置台６０の後方空間には、パチンコ玉を回収するための回収溝８が設備される。
上部板７０を各支持ユニット２の柱１，１間、柱１’，１’間に架設する。上部板７０の架設は、上部板７０のフック７３，７３を柱１（１’）の各引掛け溝２２ｂ，２２ｂ（１２ｂ，１２ｂ）に引っ掛けることにより簡単に行うことができる。
以上により、図１に示すように、遊技店の所定のフロア位置に遊技具の支持枠Ｆを設置することができる。
【００５８】
遊技具の支持枠Ｆが設置された後、支持枠Ｆにパチンコ用の貸出機Ｅとパチスロ用の貸出機Ｅ１を設置する。図９（ａ）に示すように、パチンコ用の貸出機Ｅは、図中二点鎖線で示したパチンコ台Ｐの側方（同図の紙面上でパチンコ台Ｐの左側）に形成されている側面開口凹部３２に配置される。また、図９（ｃ）に示すように、パチスロ用の貸出機Ｅ１は、図中二点鎖線で示したパチスロ台Ｓの側方（同図の紙面上でパチスロ台Ｓの右側）に形成されている側面開口凹部３２に配置される。
このように、側面開口凹部３２は、パチンコ台Ｐを設置したときと、パチスロ台Ｓを設置したときとでは、その開口方向が逆向きとなる。これにより、従来、向きが合わないなどの理由で、納まりにくかった貸出機Ｅ１も、設置することができるようになる。
【００５９】
また、近年、遊技店では、集金管理の安全性や利便性を考慮して、図１０に示すように、貸出機Ｅ１に挿入される紙幣をフロアの側方等に設けられたストック用のボックスＢに集中して集めるようにした紙幣搬送装置Ａを備えた遊技設備が多くなってきている。このような紙幣搬送装置Ａは、各貸出機Ｅ１に挿入された紙幣を搬送するための紙幣搬送路Ｈが設けられており、このような紙幣搬送路Ｈは、通常、パチンコ台Ｐやパチスロ台Ｓの上部に設備される。このような紙幣搬送装置Ａが設けられている場合には、図９（ｃ）に示すように、第１支持部１０に設けられた第１貫通穴１１ａに、紙幣搬送装置Ａの紙幣搬送路Ｈに通じる紙幣挿入口Ｅ１ａを配置することができる。これにより、貸出機Ｅ１とは別体として設けられる紙幣搬送装置Ａの紙幣挿入口Ｅ１ａを第１支持部１０を加工することなく設置することができる。
【００６０】
なお、このような紙幣搬送装置Ａでは、紙幣搬送路Ｈでしばしば紙幣詰まりが発生するトラブルが生じる場合がある。これは、例えば、カールした紙幣や折れ曲った紙幣など、種々様々な癖の紙幣が貸出機Ｅ１ａに投入されるためであり、このような紙幣詰まりが生じた場合には、店員が、紙幣の詰まった箇所を捜し当て、紙幣の詰まりを取り除くようにしていた。そこで、このようなトラブルに対処しやすいように、上部板７０は、高さ寸法の短いものを用いても良い。このように高さ寸法の短いものを用いた場合には、パチスロ台Ｓ（パチンコ台Ｐ）と上部板７０との間にメンテナンス用の開口を形成することができるようになる。これにより、この開口を利用して、紙幣搬送路Ｈのメンテナンスを容易に行なうことができる。
なお、必要に応じて、図２に示すように、貸出機Ｅ，Ｅ１には、カバーＫを設けることができる。
【００６１】
支持枠Ｆに貸出機Ｅ，Ｅ１を設置した後、支持枠Ｆにパチンコ台Ｐおよびパチスロ台Ｓを設置する。図９（ａ）〜（ｃ）に示すように、パチンコ台Ｐおよびパチスロ台Ｓは、各載置台６０に載置された状態で、中間柱３０により囲われる空間に介在させた状態で設置することができる。図７（ｂ）に示すように、載置台６０の端部６１ａには、長孔６１ｂが設けられているので、この長孔６１ｂを利用して、パチンコ台Ｐやパチスロ台Ｓに接続される図示しないワイヤーハーネス等を載置台６０の下方に引き出すことができる。
【００６２】
なお、支持枠Ｆには、背中合わせにパチンコ台Ｐを設置したり、また、背中合わせにパチスロ台Ｓを設置したりすることもできる。その場合は、支持ユニット２の柱１（１’）の構成をパチンコ専用あるいはパチスロ専用にする。すなわち、パチンコ専用とする場合、支持ユニット２を構成している２本の柱１（１’）は、２本とも、第１支持部１０が設置面に設置されるようにして、支持ユニット２を組む。また、パチスロ専用とする場合、支持ユニット２を構成している２本の柱１（１’）は、２本とも、第２支持部２０が設置面に設置されるようにして、支持ユニット２を組む。この場合、柱１（１’）は、パチンコ専用の場合と比べて２本とも天地が逆転された状態となる。なお、パチンコ台Ｐあるいはパチスロ台Ｓを先に設置して、貸出機Ｅ，Ｅ１を後から設置するようにしても良い。
【００６３】
以上のようにして、柱１（１’）を用いた支持枠Ｆに対して、貸出機Ｅ，Ｅ１およびパチンコ台Ｐ，パチスロ台Ｓを設置することができるが、設置後に、遊技具の種類を変えて設置しようとする場合には、次のような手順により支持枠Ｆの構成を変更することができる。
例えば、パチンコ台Ｐとパチスロ台Ｓとが背中合わせに設置されている状態から、パチンコ台Ｐをパチスロ台Ｓに変える場合には、パチンコ台Ｐを支持している側の柱１，１の天地を逆転させて設置し直すことにより行うことができ、あるいは、載置台６０の高さを調節することでも対応することができる。
具体的には、パチンコ台Ｐおよび貸出機Ｅを取り外して、パチンコ台Ｐを載置していた載置台６０や上部板７０を取り外すとともに、柱１，１の折り返し部３１の内側面３１ａに固定されている連結アーム４０の支持部４１の立ち上げ部４３を取り外し、さらには、柱１，１の補強部材２６，２６に取り付けられている連結バー５０の折曲部５４，５４を取り外す。これにより、柱１，１が設置面から取り外し可能となる。
【００６４】
その後、柱１，１の天地を逆転させて、第２支持部２０，２０を設置面に向けて設置し、柱１，１を固定し直す。さらに、柱１，１を連結アーム４０や連結バー５０で後方の柱１’，１’に取り付けし直すとともに、載置台６０を所定の高さに架設し直し、最後に上部板７０を架設する。これにより、貸出機Ｅ１の設置スタイルが、側面開口凹部３２の開口方向がパチンコ台Ｐ用とは反対の向きに開口するほうが都合の良い種類であるときに、パチンコ台Ｐに変えてパチスロ台Ｓを設置することができるようになる。なお、パチスロ台Ｓに変えてパチンコ台Ｐを設置する場合も柱１’，１’の天地を逆転させて設置し直すことにより、行うことができる。また、貸出機Ｅ，Ｅ１の設置スタイルが、パチンコ台Ｐとパチスロ台Ｓとで同じ様にして使用できるものであるときには、柱１，１を固定し直すことなく、載置台６０を上下に調整することで対応することができる。
【００６５】
以上説明した遊技具の支持構造用柱によれば、柱１（１’）は、第１支持部１０と第２支持部２０とを有しているので、設置する際には、これら第１支持部１０あるいは第２支持部２０のいずれか一方を選択することができる。
第１支持部１０を設置面へ向けて設置した場合には、パチンコ台Ｐの設置高さとして好適な高さとすることができ、また、第２支持部２０を設置面へ向けて設置した場合には、パチスロ台Ｓの設置高さとして好適な高さとすることができる。
【００６６】
しかも、第１支持部１０は、柱１（１’）の一端側に設けられ、第２支持部２０は、柱１（１’）の他端側に設けられているので、第１支持部１０と第２支持部２０との選択に際しては、柱１（１’）の天地を逆転させるという操作を行うことにより簡単に行うことができる。
【００６７】
また、柱１（１’）を設置した後において、遊技具の種類を変えて設置しようとするときには、柱１（１’）の天地を逆転させて設置し直すことにより、パチンコ台Ｐやパチスロ台Ｓに合った設置高さに変更することができる。
【００６８】
さらに、第１支持部１０と第２支持部２０との間には、パチンコ台Ｐやパチスロ台Ｓに隣接して貸出機Ｅ，Ｅ１を設置するための側面開口凹部３２が設けられているので、この側面開口凹部３２を利用することによりパチンコ台Ｐやパチスロ台に隣接して貸出機Ｅ，Ｅ１を設置することができる。この側面開口凹部３２は、柱１（１’）の一側部が開口されることにより形成されているので、第１支持部１０を設置面へ向けて設置したときと、第２支持部２０を設置面へ向けて設置したときとでは、開口が逆向きとなり、これによって、貸出機Ｅ，Ｅ１の納まり方を変えることができる。これにより、従来、向きが合わないなどの理由で、納まりにくかった貸出機Ｅ，Ｅ１も、設置することができるようになる。
【００６９】
また、第１支持部１０と第２支持部２０とには、側面開口凹部３２から所定間隔をあけた位置に、柱１（１’）の正面から背面に向けて貫通する第１貫通穴１１ａと第２貫通穴２１ａとを有しているので、この第１，第２貫通穴１１ａ，２１ａを利用して、パチンコ台Ｐ、パチスロ台Ｓ、貸出機Ｅ，Ｅ１に付随する設備機器を配置することができる。
【００７０】
載置台６０は、取付機構の位置調整手段により、柱１（１’）の長手方向に位置調整可能に取り付けられるようになっているので、取り付けに際して、高さ調整を行うことができ、これにより、遊技者の座る椅子の高さに合わせた位置にパチンコ台やパチスロ台を設置することができる。
【００７１】
さらに、前後の柱１，１’と、これを連結する連結アーム４０，連結バー５０とで、支持ユニット２が構成されているので、一対の柱１，1’を連結アーム４０と連結バー５０とで連結して組み立て、この組み立てられた支持ユニット２を複数並設して、各支持ユニット２間に載置台６０を架設して支持することにより、各支持ユニット２間にパチンコ台Ｐやパチスロ台Ｓを支持することができる。
【００７２】
また、このような支持ユニット２は、工場等で予め組み立てておいてから、遊技店などに搬送して設置することもできる。この場合、支持ユニット２は、一対の柱１，１’を連結アーム４０，連結バー５０で連結した平面的な構造となっているので、嵩張らず、トラックなどにも効率よく積み込むことができる。
【００７３】
以上、本発明の実施の形態について説明したが、本発明は前記実施形態には限定されない。例えば、支持枠Ｆは、正面側または背面側に遊技具が１台のみ支持されるようにしても良い。さらに、支持ユニット２は、設置先となる遊技店で組み立てるようにしても良い。また、遊技具としては、テレビゲームなど他の機種であっても良い。さらに、貸出機Ｅ，Ｅ１は、他の構成の機器でもよく、遊技具に隣接して設置する構成の機器であれば、貸出機Ｅ，Ｅ１に限定されるものではない。また、貫通穴（１１ａ，２１ａ）は、第１支持部１０および第２支持部２０のうちの少なくとも一方に設けられるものであれば良い。
【図面の簡単な説明】
【００７４】
【図１】本発明にかかる遊技具の支持構造用柱を用いた支持枠の斜視図である。
【図２】同じく図１に示した支持枠の分解斜視図である。
【図３】同じく支持枠の縦断面図である。
【図４】柱を背面の斜め上方から見た斜視図である。
【図５】連結アームを分解した状態を示し、（ａ）は、連結アームの側面図、（ｂ）は、連結アームの平面図である。
【図６】連結バーを分解した状態を示し、（ａ）は、連結バーの側面図、（ｂ）は、連結バーの平面図である。
【図７】載置台を示す図で、（ａ）は、正面図、（ｂ）は、平面図である。
【図８】上部板を示す正面図である。
【図９】支持枠に種類の異なる遊技具を支持した状態を示す図であり、（ａ）は、正面図、（ｂ）は、側面図、（ｃ）は、背面図である。
【図１０】紙幣搬送装置が設備された設置状況を示す模式図である。
【図１１】従来の遊技具の支持構造を示す斜視図である。
【符号の説明】
【００７５】
１，１’柱
２      支持ユニット
１０    第１支持部
１１ａ  第１貫通穴
２０    第２支持部
２１ａ  第２貫通穴
３０    中間柱
３２    側面開口凹部
４０    連結アーム（連結部材）
５０    連結バー（連結部材）
６０    載置台
７０    上部板
Ｅ      貸出機（パチンコ用）
Ｅ１    貸出機（パチスロ用）
Ｐ      パチンコ台
Ｓ      パチスロ台
【図１】
2005034432.tif 000003
【図２】
2005034432.tif 000004
【図３】
2005034432.tif 000005
【図４】
2005034432.tif 000006
【図５】
2005034432.tif 000007
【図６】
2005034432.tif 000008
【図７】
2005034432.tif 000009
【図８】
2005034432.tif 000010
【図９】
2005034432.tif 000011
【図１０】
2005034432.tif 000012
【図１１】
2005034432.tif 000013